(57)【要約】【課題】一度に多くの医療器具を接続して洗浄水により管路内を確実に洗浄することで、二次感染を予防することができる医療器具の洗浄装置を提供する。【解決手段】鉗子Ｐ１や吸引嘴管Ｐ２などの医療器具を洗浄する洗浄装置１は、医療器具を浸漬する洗浄水を貯留する洗浄槽３と、洗浄槽３に設けられたノズル３５ｂから洗浄水を吸引する吸引ポンプ５とを有し、ノズル３５ｂに、内部に管路が形成されたアダプタ本体７１と、アダプタ本体７１の上流側に設けられ、複数の医療器具の管路にそれぞれ接続する接続口が設けられたパッキンと、アダプタ本体７１の下流側に設けられ、ノズル３５ｂに接続される接続チューブ７２とを備えた吸引嘴管接続アダプタ７が設けられている。【選択図】図２
2008104720.tif 000002
【特許請求の範囲】
【請求項１】
管路を有する医療器具を洗浄する洗浄装置において、
前記医療器具を浸漬する洗浄水を貯留する洗浄槽と、
前記洗浄槽に設けられたノズルから前記洗浄水を吸引する吸引ポンプとを有し、
前記ノズルに、
内部に管路が形成されたアダプタ本体と、
前記アダプタ本体の上流側に設けられ、複数の医療器具の管路にそれぞれ接続する複数の接続部と、
前記アダプタ本体の下流側に設けられ、前記ノズルに接続されるノズル継手と
を備えた接続アダプタが設けられていることを特徴とする医療器具の洗浄装置。
【請求項２】
前記複数の接続部は、千鳥状に配置されていることを特徴とする請求項１記載の医療器具の洗浄装置。
【請求項３】
前記接続部は、
前記医療器具の端部が密着した状態で装着可能な接続口が設けられた弾性部材と、
前記接続口が設けられた位置に、前記接続口より大径に形成された挿入口が設けられたカバー体と
を備えていることを特徴とする請求項１または２記載の医療器具の洗浄装置。
【請求項４】
前記洗浄槽には、前記吸引ポンプに接続した複数のノズルが設けられ、
前記接続アダプタには、前記複数のノズルのうち、２以上のノズルにそれぞれ接続可能な複数のノズル継手が設けられていることを特徴とする請求項１から３のいずれかの項に記載の医療器具の洗浄装置。
【発明の詳細な説明】
【技術分野】
【０００１】
本発明は、管路を有する医療器具を洗浄する洗浄装置に関し、特に、器具全体を洗浄することができると共に、管路内に付着した血液や粘液などの付着物を洗浄することができる医療器具の洗浄装置に関する。
【背景技術】
【０００２】
管路を有する医療器具としては、例えば、腹部などを切開して手術する際に使用される外科用手術器具がある。この外科用手術器具は、手術した後には管路内に、血液や粘液などの付着物が付着するので、術後に確実に洗浄しなければ、次に使用されるときに患者に二次感染するおそれがある。このような医療器具を洗浄する洗浄装置が、例えば、特許文献１に記載されている。
【０００３】
この特許文献１に記載の外科手術器具の洗浄装置は、外科手術器具を浸漬する洗浄水が貯留される洗浄槽と、細管の先端に負圧を印加し、外科手術器具の複数本の管路から洗浄水を吸引して細管を通過させる負圧発生装置とを備えたものである。
【０００４】
また、医療器具として口腔吸引用等の医療用チューブを洗浄する装置が特許文献２に記載されている。この特許文献２には、連結具が複数個収容できる容積を有したアダプト容器を温水および温風が圧送される配管に連結すると共に、アダプト容器に着脱自在に被せられる蓋体に弾性キャップを設け、弾性キャップに複数本の医療用チューブを挿通し得る透孔を形成した医療用チューブ洗浄装置が記載されている。
【０００５】
【特許文献１】特開２００６−８１８２９号公報
【特許文献２】特開２００５−１３５１１号公報
【発明の開示】
【発明が解決しようとする課題】
【０００６】
特許文献２に記載の医療用チューブ洗浄装置は、一度に複数本の医療用チューブが洗浄できるので、短時間に多くの医療用チューブの洗浄を完了させることができるものである。
【０００７】
しかし、特許文献２に記載の医療用チューブ洗浄装置は、弾性キャップに複数本の医療用チューブを挿通することで保持しているので、医療用チューブが、ビニルチューブ、シリコンチューブ等のフレキシブルな材質でなく、硬質な材質で形成されていれば、医療用チューブ同士や医療用チューブと弾性キャップとの間に隙間ができ、圧送される洗浄水が漏れるおそれがある。従って、医療器具の管路内を流れる洗浄水の流量が低下するおそれがあるので、付着物が完全に除去できないおそれがある。
また、弾性キャップの透孔は、ある程度の大きさに設けられているので、医療用チューブが２本、または３本など少数本を洗浄する際には、保持することができない。
【０００８】
従って、洗浄する医療器具の材質にかかわらず、かつ少数本でも、確実に保持することができ、管路内を洗浄して清潔に保つことができる洗浄装置が望まれている。
【０００９】
そこで本発明は、一度に多くの医療器具を接続して洗浄水により管路内を確実に洗浄することで、二次感染を予防することができる洗浄装置を提供する。
【課題を解決するための手段】
【００１０】
本発明の医療器具の洗浄装置は、管路を有する医療器具を洗浄する洗浄装置において、医療器具を浸漬する洗浄水を貯留する洗浄槽と、前記洗浄槽に設けられたノズルから前記洗浄水を吸引する吸引ポンプとを有し、前記ノズルに、内部に管路が形成されたアダプタ本体と、前記アダプタ本体の上流側に設けられ、複数の医療器具の管路にそれぞれ接続する複数の接続部と、前記アダプタ本体の下流側に設けられ、前記ノズルに接続されるノズル継手とを備えた接続アダプタが設けられていることを特徴とする。
【００１１】
本発明の洗浄装置は、吸引ポンプにより洗浄槽に設けられたノズルから洗浄水が吸引される。このノズルには、ノズル継手により接続アダプタが接続されているので、洗浄水はこの接続アダプタを介して吸引ポンプに吸引されることになる。接続アダプタには、複数の医療器具の管路にそれぞれ接続する複数の接続部が設けられている。従って、本発明の洗浄装置は、最大で接続アダプタに設けられた接続部の数ほどの医療器具を一度に洗浄することができる。また、１本の医療器具に対して１つの接続部が接続するので、洗浄水が漏れるような状態となることが防止できる。
【００１２】
前記複数の接続部は、千鳥状に配置される望ましい。接続部を、直線状に配置するより、千鳥状に配置した方が、隣接する他の接続部との間の距離を離すことができるので、洗浄槽に医療器具をセットする際に、医療器具同士が衝突したり、重なり合ったりする度合いを低くすることができる。
【００１３】
前記接続部は、前記医療器具の端部が密着した状態で装着可能な接続口が設けられた弾性部材と、前記接続口が設けられた配置に、前記接続口より大径に形成された挿入口が設けられたカバー体とを備えているのが望ましい。
【００１４】
医療器具の端部が、密着した状態で弾性部材の接続口に装着されることで、医療器具の周面と、接続口との間から洗浄液が漏れたりすることがないので、接続口からの吸引により、洗浄水を漏れなく医療器具の管路を通過させることができる。医療器具を接続部に装着する場合には、まず、医療器具をカバー体の挿入口へ挿入する。挿入口は、接続口より大径に形成されているので、容易に医療器具を挿入口へ挿入することができる。また、挿入口へ医療器具を挿入すると、挿入口が接続口への位置決めの役目をするため、容易に医療器具を接続口へ案内させることができる。
【００１５】
前記洗浄槽には、前記吸引ポンプに接続した複数のノズルが設けられ、前記接続アダプタには、前記複数のノズルのうち、２以上のノズルにそれぞれ接続可能な複数のノズル継手が設けられているのが望ましい。複数のノズルが設けられている場合に、この複数のノズルのうち、２以上のノズルにそれぞれ接続可能な複数のノズル継手を接続アダプタに設けることで、接続するノズルの数に応じて吸引力を増加させることができるので、接続部の数を増加させても、吸引力の低下を防止することができる。
【発明の効果】
【００１６】
本発明の医療器具の洗浄装置は、接続アダプタに設けられた接続部の数に応じて多くの医療器具を洗浄することができる。また、１本の医療器具に対して１つの接続部が接続するので、医療器具が軟質であっても硬質であっても、確実に洗浄水を医療器具の管路内を通過させることができる。よって、本発明の医療器具の洗浄装置は、一度に多くの医療器具を接続して、洗浄水により管路内を確実に短時間に洗浄することができるので、効率よく洗浄が完了でき、二次感染を予防することができる。
【発明を実施するための最良の形態】
【００１７】
本実施の形態に係る医療器具の洗浄装置を、図面に基づいて説明する。図１は、本発明の実施の形態に係る医療器具の洗浄装置の外観図であり、（Ａ）は平面図、（Ｂ）は正面図、（Ｃ）は右側面図である。図２は、図１に示す洗浄装置の内部の状態を示す平面図である。図３は、図１に示す洗浄装置の内部の状態を示す正面図である。図４は、図１に示す洗浄装置の内部の状態を示す右側面図である。図５は、液位監視装置を示す斜視図である。
【００１８】
図１（Ａ）から同図（Ｃ）に示すように洗浄装置１は、洗浄水によって、医療器具の外側を洗浄するだけでなく、医療器具に形成された管路内も洗浄する装置である。なお、本明細書中では、洗剤を含む水の他に、洗剤を用いる前の予備洗浄に使用する水や、すすぎを行う際の水を含めて洗浄水と称している。
洗浄装置１は、高さが約３２０ｍｍ、幅が約７３０ｍｍ、奥行き約５００ｍｍの箱状に形成された装置本体２に、透明部材２１ａが嵌め込まれ、逆Ｕ字状に形成された把手２１ｂが前部に設けられた蓋部２１が設けられている。この蓋部２１は、装置本体２に蝶番２１ｃを介して回動可能に設けられている。
【００１９】
装置本体２の上面には、蓋部２１を開いたときに、蓋部２１が閉塞することを規制するドアラッチ２２が設けられている。また、装置本体２の前面には、電源スイッチ２３と、洗浄の開始を指示するスタートボタン２４とが設けられている。
【００２０】
図２から図４に示すように、装置本体２は、手術の際に患者の切開した腹部などに挿入する外科用手術器具である鉗子Ｐ１や、治療の際に口腔や鼻孔に挿入する吸引嘴管Ｐ２などを洗浄水に浸漬するために、ステンレス製の洗浄槽３を備えている。
【００２１】
洗浄槽３の一端部の上部には、ＲＯ（Reverse Osmosis：逆浸透）水や、一般的な上水道から供給される市水や、高温に加熱された温水が供給される給水配管３１が接続されている。この給水配管３１には、給水弁３２が設けられている。また、洗浄槽３の一端部の下部には、洗浄槽３を循環する洗浄水の吐水口３３が設けられている。
【００２２】
洗浄槽３の他端部の下部には、洗浄槽３内の洗浄水を排出する排水口３４が設けられている。排水口３４に接続している排水管３４ａには、洗浄槽３内の洗浄水の液位が所定レベルを超えたときに、洗浄水を排水することで洗浄槽３から溢れてしまうことを防止するオーバーフロー３６が接続されている。この液位は、液位監視装置４（図２から図４においては図示せず）によって監視されている。図５に示すように、液位監視装置４は、洗浄槽３の下部に設けられた取水口３７に接続された光透過可能な部材で形成されたレベル管４１と、このレベル管４１の液面を光学的に検出して後述する制御装置６へコード６ａを介して通知する液位センサ４２ａ，４２ｂと、取水口３７に設けられた仕切板４３とを備えている。
【００２３】
レベル管４１内に洗浄水の泡が混入すると、液位センサ４２ａ，４２ｂが誤検出するおそれがある。そこで、洗浄槽３の壁面に断面Ｌ字状に形成された仕切板４３を取水口３７の前に設け、泡が侵入する経路となる洗浄槽３の底面との隙間を狭くすることで、泡の通過を規制することができ、レベル管４１内への泡の侵入を抑止することができる。
【００２４】
また、図２から図４に示すように、洗浄槽３の他端部の下部には、吸入管３５ａにノズル３５ｂが設けられた吸入ユニット３５が設けられている。
吸入ユニット３５は、６つのノズル３５ｂが、吸入管３５ａの軸線に沿って、かつ吸入口が洗浄槽３の中央に向くように、列状に配置されている。このノズル３５ｂは、未接続状態にあるときには流路が閉じるように機能する弁付き接続継手である。
【００２５】
吸入管３５ａには、ノズル３５ｂから洗浄水を吸引する吸引ポンプ５が接続されている。この吸引ポンプ５は、吸入管３５ａを介して吸引した洗浄水を、吐水口３３から吐水することで、洗浄槽３内の洗浄水を循環させている。
洗浄槽３の底面は、吐水口３３が設けられている一端部から、排水口３４が設けられている他端部に向かって下るような傾斜面に形成されている。排水口３４からの排水は、排水管３４ａに設けられた排水弁３４ｂによって制御される。
【００２６】
吸引ポンプ５は、制御装置６によって吸引の開始および停止が制御される。制御装置６は、吸引ポンプ５の制御の他に、給水弁３２の開閉、排水弁３４ｂの開閉等を制御する機能を備えている。
【００２７】
ここで、吸入ユニット３５に接続される吸引嘴管接続アダプタ７について、図６から図８に基づいて詳細に説明する。図６は、吸引嘴管接続アダプタ７が吸入ユニット３５に接続された状態を示す斜視図である。図７は、吸引嘴管接続アダプタ７の側面図である。図８は、吸引嘴管接続アダプタ７の分解斜視図である。なお、図６においては、吸引嘴管接続アダプタ７として、６つのノズル３５ｂのうち隣接する２つのノズル３５ｂに接続する２接続タイプのものを図示している。
【００２８】
図６に示すように、吸引嘴管接続アダプタ７が３つ吸入ユニット３５に接続されている。吸引嘴管接続アダプタ７は、図７および図８に示すように、内部に管路が形成された箱状のアダプタ本体７１と、アダプタ本体７１の下流側に設けられた接続チューブ７２と、アダプタ本体７１の下流側に設けられたパッキン７３と、パッキン７３を覆うカバー体７４とを備えている。
【００２９】
アダプタ本体７１には、ステンレスで形成され、貫通孔である吸入口７１ａが７つ千鳥状に設けられている。接続チューブ７２は、プラスチックチューブや、シリコンチューブなどで形成され、ノズル３５ｂに接続してノズル３５ｂに設けられた弁付き接続継手を開放状態とするノズル継手である。接続チューブ７２は、プラスチックチューブやシリコンチューブとする以外に、吸引ポンプ５の吸引力によって潰れたりしない程度の剛性を有しているものであれば、他の材質のものでも使用することができる。パッキン７３は、弾性部材の一例であるゴム製で、矩形の板状に形成され、吸引嘴管Ｐ２（図２参照）が挿入されることで保持する接続口７３ａが７つ千鳥状に設けられている。カバー体７４は、断面コ字状のステンレスで形成され、接続口７３ａが設けられた位置に挿入口７４ａが設けられている。なお、本実施の形態のパッキン７３は、ゴム製であるが、弾性部材で、洗浄水に対して耐腐食性があり、非透水性を有していれば、軟質の樹脂なども使用することができる。
【００３０】
アダプタ本体７１の吸入口７１ａと、パッキン７３の接続口７３ａと、カバー体７４の挿入口７４ａとは、吸入口７１ａが大径に、吸入口７１ａより接続口７３ａが縮径した小径に、接続口７３ａより挿入口７４ａが拡径し、ほぼ吸入口７１ａと同程度の外径とした大径に形成されている。このパッキン７３とカバー体７４とは、ネジ７５によりアダプタ本体７１に固定されることで、吸引嘴管Ｐ２を接続する接続部を構成している。このように吸引嘴管接続アダプタ７は、複数の吸引嘴管Ｐ２を１本ずつ接続できるように、接続口７３ａが複数（本実施の形態では接続口７３ａは７つ）設けられている。
【００３１】
図２から図４に戻って、洗浄装置１には、吸引嘴管Ｐ２を接続する吸引嘴管接続アダプタ７の他に、ノズル３５ｂと１対１で鉗子Ｐ１と接続する鉗子接続アダプタ８が設けられている。この鉗子接続アダプタ８は、プラスチックチューブや、シリコンチューブなどで形成され、ノズル３５ｂに接続する接続チューブ８１と、接続チューブ８１と連通し、鉗子Ｐ１の先端部分を挿入することで鉗子Ｐ１を密着状態で接続するアダプタ本体８２とを備えている。
【００３２】
この鉗子接続アダプタ８および吸引嘴管接続アダプタ７は、ノズル３５ｂに脱着自在であるので、吸入ユニット３５の所望とするノズル３５ｂを選択して接続することが可能である。つまり、図６に示すように、本実施の形態に係る洗浄装置１では、７本の吸引嘴管Ｐ２が接続可能な吸引嘴管接続アダプタ７を３つ吸入ユニット３５に接続することで、最大で２１本の吸引嘴管Ｐ２を一度に洗浄することができる。
【００３３】
以上のように構成された本発明の実施の形態に係る洗浄装置１の使用状態を図面に基づいて説明する。
【００３４】
まず、作業者は、例えば、図２に示すように鉗子Ｐ１を接続する鉗子接続アダプタ８を中央の２つのノズル３５ｂにそれぞれ接続する。次に、作業者は、２つのノズル３５ｂに接続する吸引嘴管接続アダプタ７を２つ接続する。吸引嘴管接続アダプタ７の接続が完了すると、洗浄が必要な鉗子Ｐ１を鉗子接続アダプタ８に接続し、吸引嘴管Ｐ２を吸引嘴管接続アダプタ７に接続する。
【００３５】
吸引嘴管Ｐ２を吸引嘴管接続アダプタ７に接続する際には、まず、カバー体７４の挿入口７４ａに吸引嘴管Ｐ２の先端の位置を合わせる。カバー体７４は、金属光沢があるステンレスで形成され、挿入口７４ａは大径に形成されると共に、接続口７３ａは小径に形成されているので、挿入口７４ａからパッキン７３の表面が露出することで、パッキン７３の表面を挿入口７４ａの開口から視認することができる。従って、小径に形成された接続口７３ａの位置を、大径に形成された挿入口７４ａによって容易に視認することができる。
【００３６】
吸引嘴管Ｐ２の先端を挿入口７４ａに挿入すると、パッキン７３の接続口７３ａは小径に形成されているので、吸引嘴管Ｐ２は一端挿入が阻止される。吸引嘴管Ｐ２の挿入が阻止されることで、吸引嘴管Ｐ２が接続口７３ａの位置から外れそうになるが、カバー体７４の厚みによる挿入口７４ａの周壁面が障壁となることで、吸引嘴管Ｐ２の先端がパッキン７３の表面を摺動しながら移動して、接続口７３ａの位置から外れてしまうことを防止することができる。従って、挿入口７４ａが接続口７３ａへの位置決めの役目をするので、吸引嘴管Ｐ２を接続口７３ａへ容易に案内させることができる。また、パッキン７３の表面は摩擦係数が高いゴム製なので、吸引嘴管Ｐ２の先端がパッキン７３の表面から滑落しにくい。
【００３７】
作業者による更なる挿入力によりパッキン７３が弾性変形して接続口７３ａが拡径することで、吸引嘴管Ｐ２が接続口７３ａへ挿入される。吸引嘴管Ｐ２が一端挿入されると、パッキン７３の復元力で接続口７３ａの周壁面と、吸引嘴管Ｐ２の外周面とが密着した状態となるので、洗浄水を漏らすような隙間が空くことなく吸引嘴管Ｐ２を接続口７３ａに装着することができる。パッキン７３が弾性部材で形成されていることで、接続口７３ａが吸引嘴管Ｐ２の外周面に応じて弾性変形するので、洗浄が必要な医療器具が接続口７３ａに挿入できれば、挿入する医療器具の材質にかかわりなく密着した状態とすることができる。
【００３８】
吸引嘴管Ｐ２が接続口７３ａに挿入され、更に挿入力が加わると、吸引嘴管Ｐ２はアダプタ本体７１に設けられた吸入口７１ａの位置まで進入する。吸入口７１ａは、接続口７３ａより大径に形成されているので、吸引嘴管Ｐ２は、接続口７３ａの周壁面に摺動しながら、吸入口７１ａに挿入を規制されることなく、アダプタ本体７１内に挿入することができる。従って、作業者は、パッキン７３の接続口７３ａに吸引嘴管Ｐ２を通過させることができれば、後は接続口７３ａに吸引嘴管Ｐ２を摺動させながらアダプタ本体７１の奥まで押し進めることができる。このようにして、作業者は、洗浄が必要な吸引嘴管Ｐ２を１本ずつ吸引嘴管接続アダプタ７に接続し、傾斜面となった洗浄槽３の底面に、吸引嘴管Ｐ２を載置していく。接続口７３ａは、千鳥状に配置されている。例えば、同じ数の接続口７３ａが、千鳥状に配置したときと同じ間隔で、かつ直線状に配置された接続アダプタとすると、接続口７３ａが千鳥状に配置されたアダプタ本体７１の横幅より大きくなってしまう。本実施の形態では、接続口７３ａは、千鳥状に配置されているので、多数の吸引嘴管Ｐ２を接続する吸引嘴管接続アダプタ７を、コンパクトに形成することができる。また、吸引嘴管Ｐ２はへ字状に形成されているが、接続口７３ａの配置高さが隣接する接続口７３ａと交互に入れ替わるように千鳥状に配置されているので、吸引嘴管Ｐ２をセッティングする際に、吸引嘴管Ｐ２同士が衝突したり、重なり合ったりする度合いを低くすることができる。
【００３９】
次に、作業者は、電源スイッチ２３により洗浄装置１の電源を投入して、スタートボタン２４を押下することで、制御装置６が洗浄を実施する。洗浄は、まず、制御装置６が給水弁３２を開放することで、薬液が入った洗浄水を液位監視装置４からの情報に基づいて所定液位となるまで給水することから開始される。給水が完了すると、吸引ポンプ５を稼働させて洗浄液を循環させる。吸引ポンプ５の吸引は、吸入ユニット３５のノズル３５ｂを介して吸引嘴管接続アダプタ７に伝達される。吸引嘴管接続アダプタ７には、７本の吸引嘴管Ｐ２が接続されているので、この７本の吸引嘴管Ｐ２の管路に洗浄水を通過させるためには、相当な吸引力が必要である。本実施の形態では、吸引嘴管接続アダプタ７は、２つのノズル３５ｂに接続する吸引嘴管接続アダプタ７を使用しているので、１つのノズル３５ｂに接続するものより２倍の吸引力を確保することができる。従って、多数の吸引嘴管Ｐ２を接続する場合でも、吸引力が低下してしまうことを防止することができる。また、それぞれの接続口７３ａに１本ずつ吸引嘴管Ｐ２が接続されているので、ほぼ均等に吸引力が作用する。従って、吸引嘴管Ｐ２が装着される位置による洗浄の偏りなどを防止することができる。
また、洗浄槽３の底面は、洗浄水の吸引方向に向かって下るように傾斜しているので、吸引嘴管Ｐ２内を流水する洗浄水が下るように吸引されるので、洗浄効果を向上させることができる。
【００４０】
循環による洗浄は、吸引ポンプ５による２分間の稼働と５分間の停止とを１サイクルとして、３サイクルを行う。このサイクルは、制御装置６にプログラミングすることで実行される。このように洗浄の１サイクルとして、吸引嘴管Ｐ２の管路を洗浄水が流水する期間と、滞留する期間とを設けることで、除去しきれない付着物を洗浄水が滞留する期間に浮き上がらせ、次の洗浄水が流水する期間に浮き上がった付着物を流出させて除去することができるので、洗浄力を向上させることができる。
【００４１】
循環による洗浄が完了すると、制御装置６は排水口３４を開放して洗浄水を排水する。洗浄槽３の底面は、吐水口３３が設けられている一端部から、排水口３４が設けられている他端部に向かって下るような傾斜面に形成されているので、速やかな排水が可能である。
【００４２】
制御装置６は、排水を行った後に、すすぎ、および吸引による乾燥を行って洗浄を完了する。このように本実施の形態に係る洗浄装置１は、洗浄が必要な多数の吸引嘴管Ｐ２を１本ごとに接続する吸引嘴管接続アダプタ７を備えていることにより、一度に多くの吸引嘴管Ｐ２が確実に洗浄できるので、短時間に洗浄でき、二次感染を予防することができる。
【００４３】
以上、本発明の実施の形態について説明してきたが、本発明は前記実施の形態に限定されるものではない。本実施の形態では、２つのノズル３５ｂに接続する吸引嘴管接続アダプタ７を例に説明したが、例えば、多数の吸引嘴管Ｐ２を接続するものとして、図９（Ａ）に示すように、１つのノズル３５ｂに接続する吸引嘴管接続アダプタ１１や、図９（Ｂ）に示すように、６つ全部のノズル３５ｂに接続する吸引嘴管接続アダプタ１２とすることも可能である。また、本実施の形態では、図２または図７に示すように、吸引嘴管接続アダプタ７として、吸引嘴管Ｐ２が７本接続できるものを例に説明したが、２本以上であれば洗浄の効率化を図ることができる。しかし、吸引嘴管接続アダプタに接続可能な吸引嘴管Ｐ２の本数を多くすると、吸引嘴管Ｐ２の１本当たりの吸引力が低下して洗浄力に影響がでるので、吸引ポンプ５の出力に応じて接続可能な本数を決定するのが望ましい。
【００４４】
また、吸引嘴管Ｐ２は、吸引嘴管接続アダプタ７に設けられたパッキン７３の接続口７３ａに挿入するようにして装着されるが、接続アダプタの接続部として、シリコンチューブやビニルチューブなどの軟質のチューブとすることもできる。接続部をチューブとし、接続する医療器具の形状に応じて、医療器具と接続する部分の形状を適宜変更することで、接続アダプタを様々な医療器具に適用することが可能である。
【産業上の利用可能性】
【００４５】
本発明は、患者の手術や治療に使用することで洗浄が必要な管路を有する医療器具の洗浄装置に好適である。特に、口腔や鼻孔に入れて唾液、鼻汁などの体液や、薬液や、洗浄液などを吸い出す際に使用される吸引嘴管の洗浄に最適である。
【図面の簡単な説明】
【００４６】
【図１】本発明の実施の形態に係る医療器具の洗浄装置の外観図であり、（Ａ）は平面図、（Ｂ）は正面図、（Ｃ）は右側面図である。
【図２】図１に示す洗浄装置の内部の状態を示す平面図である。
【図３】図１に示す洗浄装置の内部の状態を示す正面図である。
【図４】図１に示す洗浄装置の内部の状態を示す右側面図である。
【図５】液位監視装置を示す斜視図である。
【図６】吸引嘴管接続アダプタが吸入ユニットに接続された状態を示す斜視図である。
【図７】吸引嘴管接続アダプタの側面図である。
【図８】吸引嘴管接続アダプタの分解斜視図である。
【図９】（Ａ）および（Ｂ）は、他の実施の形態に係る吸引嘴管接続アダプタを示す図である。
【符号の説明】
【００４７】
１  洗浄装置
２  装置本体
２１  蓋部
２１ａ  透明部材
２１ｂ  把手
２１ｃ  蝶番
２２  ドアラッチ
２３  電源スイッチ
２４  スタートボタン
３  洗浄槽
３１  給水配管
３２  給水弁
３３  吐水口
３４  排水口
３４ａ  排水管
３４ｂ  排水弁
３５  吸入ユニット
３５ａ  吸入管
３５ｂ  ノズル
３６  オーバーフロー
３７  取水口
４  液位監視装置
４１  レベル管
４２ａ，４２ｂ  液位センサ
４３  仕切板
５  吸引ポンプ
６  制御装置
７  吸引嘴管接続アダプタ
７１  アダプタ本体
７１ａ  吸入口
７２  接続チューブ
７３  パッキン
７３ａ  接続口
７４  カバー体
７４ａ  挿入口
７５  ネジ
８  鉗子接続アダプタ
８１  接続チューブ
８２  アダプタ本体
１１，１２  吸引嘴管接続アダプタ
Ｐ１  鉗子
Ｐ２  吸引嘴管
【図１】
2008104720.tif 000003
【図２】
2008104720.tif 000004
【図３】
2008104720.tif 000005
【図４】
2008104720.tif 000006
【図５】
2008104720.tif 000007
【図６】
2008104720.tif 000008
【図７】
2008104720.tif 000009
【図８】
2008104720.tif 000010
【図９】
2008104720.tif 000011